(57)【要約】【課題】簡易な処理で設備を管理することが可能な管理装置および管理プログラムを提供する。【解決手段】管理装置は、設備についての計測を行うセンサによる計測結果、および前記計測結果に対応する時刻を取得する第１の取得部と、前記設備の複数の使用期間、および各前記使用期間に対応する管理項目の内容を記憶部から取得する第２の取得部と、前記第１の取得部によって取得された前記計測結果および対応の前記時刻、ならびに前記第２の取得部によって取得された前記内容および対応の前記使用期間に基づいて、前記計測結果に基づく計測情報を前記内容ごとにまとめる処理を行うデータ処理部とを備える。【選択図】図６
2018025858.tif 000002
【特許請求の範囲】
【請求項１】
設備についての計測を行うセンサによる計測結果、および前記計測結果に対応する時刻を取得する第１の取得部と、
前記設備の複数の使用期間、および各前記使用期間に対応する管理項目の内容を記憶部から取得する第２の取得部と、
前記第１の取得部によって取得された前記計測結果および対応の前記時刻、ならびに前記第２の取得部によって取得された前記内容および対応の前記使用期間に基づいて、前記計測結果に基づく計測情報を前記内容ごとにまとめる処理を行うデータ処理部とを備える、管理装置。
【請求項２】
前記第１の取得部は、前記計測結果に対応する前記センサの識別情報である第１の識別情報をさらに取得し、
前記第２の取得部は、前記使用期間に対応する前記センサの識別情報である第２の識別情報を前記記憶部からさらに取得し、
前記データ処理部は、前記第１の取得部によって取得された前記第１の識別情報、および前記第２の取得部によって取得された前記第２の識別情報にさらに基づいて、前記計測情報を前記内容ごとにまとめる処理を行う、請求項１に記載の管理装置。
【請求項３】
前記管理項目の種類は、設定変更可能である、請求項１または請求項２に記載の管理装置。
【請求項４】
前記管理項目の種類は、複数種類設定可能である、請求項１から請求項３のいずれか１項に記載の管理装置。
【請求項５】
前記データ処理部は、前記計測情報を前記内容ごとかつ他の情報ごとにまとめる処理を行う、請求項１から請求項４のいずれか１項に記載の管理装置。
【請求項６】
前記管理装置は、さらに、
前記データ処理部による前記処理の結果を表示する制御を行う表示制御部を備える、請求項１から請求項５のいずれか１項に記載の管理装置。
【請求項７】
管理装置において用いられる管理プログラムであって、
コンピュータを、
設備についての計測を行うセンサによる計測結果、および前記計測結果に対応する時刻を取得する第１の取得部と、
前記設備の複数の使用期間、および各前記使用期間に対応する管理項目の内容を記憶部から取得する第２の取得部と、
前記第１の取得部によって取得された前記計測結果および対応の前記時刻、ならびに前記第２の取得部によって取得された前記内容および対応の前記使用期間に基づいて、前記計測結果に基づく計測情報を前記内容ごとにまとめる処理を行うデータ処理部と、
として機能させるための、管理プログラム。
【発明の詳細な説明】
【技術分野】
【０００１】
本発明は、管理装置および管理プログラムに関する。
【背景技術】
【０００２】
従来、設備の使用状況を管理するための管理装置が開発されている。たとえば、特許文献１（特開２０１６−３８７０９号公報）には以下のような技術が開示さている。
【０００３】
すなわち、溶接システムは、溶接ワイヤを溶接トーチに供給して溶接を行う溶接装置と、該溶接装置に内蔵されており、溶接装置の溶接操作に関する溶接データを記録する溶接データ記録装置と、前記溶接装置の溶接データ記録装置で記録された溶接データを収集し処理する溶接データ管理装置とを備え、前記溶接データ記録装置は、溶接トーチに供給されたワイヤの量を検出するワイヤ使用量検出器と、溶接装置の溶接電流を検出する電流検出器と、溶接データ記録装置で記録した溶接データを前記溶接データ管理装置に無線送信する無線送信機とを備え、前記溶接データ管理装置は、前記無線送信機から送信される溶接装置に関する溶接データを収集するデータ収集部と、収集されたデータを処理するデータ処理部とを含む。
【先行技術文献】
【特許文献】
【０００４】
【特許文献１】特開２０１６−３８７０９号公報
【発明の概要】
【発明が解決しようとする課題】
【０００５】
特許文献１に記載の溶接システム等を用いて、設備に設けられた記録装置によって生産データを収集し、収集した生産データに基づいて、作業者の仕事量および生産コスト等を算出するシステムが検討されている。
【０００６】
しかしながら、設備を扱う作業者が入れ替わったり、設備の生産内容が切替わったりする状況では、生産データから作業者別の仕事量、および生産内容別の生産コストを算出することは困難である。
【０００７】
この発明は、上述の課題を解決するためになされたもので、その目的は、簡易な処理で設備を管理することが可能な管理装置および管理プログラムを提供することである。
【課題を解決するための手段】
【０００８】
（１）上記課題を解決するために、この発明のある局面に係わる管理装置は、設備についての計測を行うセンサによる計測結果、および前記計測結果に対応する時刻を取得する第１の取得部と、前記設備の複数の使用期間、および各前記使用期間に対応する管理項目の内容を記憶部から取得する第２の取得部と、前記第１の取得部によって取得された前記計測結果および対応の前記時刻、ならびに前記第２の取得部によって取得された前記内容および対応の前記使用期間に基づいて、前記計測結果に基づく計測情報を前記内容ごとにまとめる処理を行うデータ処理部とを備える。
【０００９】
（７）上記課題を解決するために、この発明のある局面に係わる管理プログラムは、管理装置において用いられる管理プログラムであって、コンピュータを、設備についての計測を行うセンサによる計測結果、および前記計測結果に対応する時刻を取得する第１の取得部と、前記設備の複数の使用期間、および各前記使用期間に対応する管理項目の内容を記憶部から取得する第２の取得部と、前記第１の取得部によって取得された前記計測結果および対応の前記時刻、ならびに前記第２の取得部によって取得された前記内容および対応の前記使用期間に基づいて、前記計測結果に基づく計測情報を前記内容ごとにまとめる処理を行うデータ処理部と、として機能させるためのプログラムである。
【００１０】
本発明は、このような特徴的な処理部を備える管理装置として実現することができるだけでなく、管理装置を備える管理システムとして実現したり、かかる特徴的な処理をステップとする方法として実現したりすることができる。また、本発明は、管理装置の一部または全部を実現する半導体集積回路として実現することができる。
【発明の効果】
【００１１】
本発明によれば、簡易な処理で設備を管理することができる。
【図面の簡単な説明】
【００１２】
【図１】図１は、本発明の第１の実施の形態に係る管理システムの構成を示す図である。
【図２】図２は、本発明の第１の実施の形態に係る管理システムにおける蓄積装置に蓄積されるセンサデータの一例を示す図である。
【図３】図３は、本発明の第１の実施の形態に係る管理システムにおける蓄積装置に蓄積されるセンサデータの一例を示す図である。
【図４】図４は、本発明の第１の実施の形態に係る管理システムにおける端末装置が保持する帳票データの一例を示す図である。
【図５】図５は、本発明の第１の実施の形態に係る管理システムにおける端末装置が保持する帳票データの一例を示す図である。
【図６】図６は、本発明の第１の実施の形態に係る管理装置の構成を示す図である。
【図７】図７は、本発明の第１の実施の形態に係る管理装置が作成する集計表の一例を示す図である。
【図８】図８は、本発明の第１の実施の形態に係る管理装置が作成する集計表の一例を示す図である。
【図９】図９は、本発明の第１の実施の形態に係る管理システムにおける端末装置が保持する帳票データの一例を示す図である。
【図１０】図１０は、本発明の第１の実施の形態に係る管理システムにおける端末装置が保持する帳票データの一例を示す図である。
【図１１】図１１は、本発明の第１の実施の形態に係る管理装置が作成する集計表の一例を示す図である。
【図１２】図１２は、本発明の第１の実施の形態に係る管理システムにおける端末装置が保持する帳票データの一例を示す図である。
【図１３】図１３は、本発明の第１の実施の形態に係る管理装置が作成する集計表の一例を示す図である。
【図１４】図１４は、本発明の第１の実施の形態に係る管理装置が計測情報を管理項目の内容ごとにまとめる処理を行う際の動作手順を定めたフローチャートである。
【図１５】図１５は、本発明の第２の実施の形態に係る管理装置の構成を示す図である。
【発明を実施するための形態】
【００１３】
最初に、本発明の実施形態の内容を列記して説明する。
【００１４】
（１）本発明の実施の形態に係る管理装置は、設備についての計測を行うセンサによる計測結果、および前記計測結果に対応する時刻を取得する第１の取得部と、前記設備の複数の使用期間、および各前記使用期間に対応する管理項目の内容を記憶部から取得する第２の取得部と、前記第１の取得部によって取得された前記計測結果および対応の前記時刻、ならびに前記第２の取得部によって取得された前記内容および対応の前記使用期間に基づいて、前記計測結果に基づく計測情報を前記内容ごとにまとめる処理を行うデータ処理部とを備える。
【００１５】
このような構成により、たとえば、管理項目の内容として作業者または生産内容を用いることで、設備を扱う作業者が入れ替わったり、設備の生産内容が切替わったりしても、計測結果に基づく作業時間を作業者ごとまたは生産内容ごとにまとめることができる。これにより、たとえば、作業者別の仕事量、および生産内容別の生産コストを簡易に算出することができる。したがって、簡易な処理で設備を管理することができる。
【００１６】
（２）好ましくは、前記第１の取得部は、前記計測結果に対応する前記センサの識別情報である第１の識別情報をさらに取得し、前記第２の取得部は、前記使用期間に対応する前記センサの識別情報である第２の識別情報を前記記憶部からさらに取得し、前記データ処理部は、前記第１の取得部によって取得された前記第１の識別情報、および前記第２の取得部によって取得された前記第２の識別情報にさらに基づいて、前記計測情報を前記内容ごとにまとめる処理を行う。
【００１７】
このような構成により、たとえば、作業者が複数の設備において作業を行ったり、複数の設備を用いて対象物を生産したりする場合においても、第１の識別情報および第２の識別情報を用いて、計測結果および対応の時刻と管理項目の内容および対応の使用期間とを対応付けることができるので、たとえば、作業者別の仕事量、および生産内容別の生産コストを正しく算出することができる。
【００１８】
（３）好ましくは、前記管理項目の種類は、設定変更可能である。
【００１９】
このような構成により、たとえば、複数の管理者が、それぞれ異なる種類の管理項目を管理対象とする場合においても、１つの管理装置において、管理者ごとの要求を満たす処理を行うことができるので、管理装置を効率よく運用することができる。
【００２０】
（４）好ましくは、前記管理項目の種類は、複数種類設定可能である。
【００２１】
このような構成により、複数種類の管理項目の内容を関連づけてまとめることができるので、設備をきめ細かく管理することができる。
【００２２】
（５）好ましくは、前記データ処理部は、前記計測情報を前記内容ごとかつ他の情報ごとにまとめる処理を行う。
【００２３】
このように、計測情報を管理項目の内容ごとにまとめた処理結果を、他の情報ごとにさらにまとめる構成により、たとえば計測結果と天気とが相関する場合、他の情報として天気を用いることで、設備をきめ細かく管理することができる。
【００２４】
（６）好ましくは、前記管理装置は、さらに、前記データ処理部による前記処理の結果を表示する制御を行う表示制御部を備える。
【００２５】
このような構成により、管理装置のユーザは、表示内容から処理結果を認識することができるので、より容易に設備を管理することができる。
【００２６】
（７）本発明の実施の形態に係る管理プログラムは、管理装置において用いられる管理プログラムであって、コンピュータを、設備についての計測を行うセンサによる計測結果、および前記計測結果に対応する時刻を取得する第１の取得部と、前記設備の複数の使用期間、および各前記使用期間に対応する管理項目の内容を記憶部から取得する第２の取得部と、前記第１の取得部によって取得された前記計測結果および対応の前記時刻、ならびに前記第２の取得部によって取得された前記内容および対応の前記使用期間に基づいて、前記計測結果に基づく計測情報を前記内容ごとにまとめる処理を行うデータ処理部と、として機能させるためのプログラムである。
【００２７】
このような構成により、たとえば、管理項目の内容として作業者または生産内容を用いることで、設備を扱う作業者が入れ替わったり、設備の生産内容が切替わったりしても、計測結果に基づく作業時間を作業者ごとまたは生産内容ごとにまとめることができる。これにより、たとえば、作業者別の仕事量、および生産内容別の生産コストを簡易に算出することができる。したがって、簡易な処理で設備を管理することができる。
【００２８】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００２９】
＜第１の実施の形態＞
［構成および基本動作］
図１は、本発明の第１の実施の形態に係る管理システムの構成を示す図である。
【００３０】
図１を参照して、管理システム３０１は、２つのセンサ１１と、アクセスポイント１１１と、管理装置１０１と、端末装置（記憶部）１５１と、蓄積装置１７１とを備える。
【００３１】
この例では、管理システム３０１において、設備３Ａ，３Ｂが設けられる。以下、設備３Ａ，３Ｂの各々を設備３とも称する。なお、管理システム３０１において、３つ以上の設備３が設けられてもよい。
【００３２】
センサ１１は、設備３に対応して設けられる。この例では、センサ１１であるセンサ１１Ａ，１１Ｂは、設備３Ａ，３Ｂにそれぞれ対応して設けられる。
【００３３】
なお、管理システム３０１は、２つのセンサ１１を備えているが、３つ以上のセンサ１１を備えてもよい。
【００３４】
設備３は、たとえば、３相交流の電源を用いて動作する電気溶接機である。なお、設備３は、電気溶接機以外であってもよい。
【００３５】
設備３Ａ，３Ｂは、分電盤１２から動力線１４Ａ，１４Ｂをそれぞれ介して電力の供給を受ける。以下、動力線１４Ａ，１４Ｂの各々を、動力線１４とも称する。
【００３６】
より詳細には、たとえば、動力線１４Ａは、３相交流の電流を伝導するための３つの導線を含み、分電盤１２におけるブレーカ１３Ａに接続された第１端と、設備３Ａに接続された第２端とを有する。また、動力線１４Ｂは、たとえば３相交流の電流を伝導するための３つの導線を含み、分電盤１２におけるブレーカ１３Ｂに接続された第１端と、設備３Ｂに接続された第２端とを有する。
【００３７】
たとえば、動力線１４Ａ，１４Ｂの第１端側のそれぞれにおいて、３つの導線のうちの１つにセンサ１１Ａ，１１Ｂが設けられる。
【００３８】
各センサ１１は、対応の設備３についての計測を行い、計測結果を示す情報を含む無線信号を送信する。より詳細には、センサ１１は、たとえばクランプ型の電流センサと無線通信部とを含み、対応の設備３に流れる電流を計測する。
【００３９】
具体的には、センサ１１Ａは、自己が設けられた動力線１４Ａにおける導線を流れる電流を所定周期たとえば１０秒周期で計測する。また、センサ１１Ｂは、自己が設けられた動力線１４Ｂにおける導線を流れる電流を所定周期たとえば１０秒周期で計測する。
【００４０】
センサ１１Ａ，１１Ｂは、たとえば、計測が完了すると、自己のＩＤであるセンサＩＤ、および計測した電流値を計測結果として含む計測パケットを作成し、作成した計測パケットを含む無線信号をアクセスポイント１１１へ送信する。
【００４１】
なお、センサ１１は、無線通信により計測パケットを送信する構成に限らず、有線通信により計測パケットを送信する構成であってもよい。
【００４２】
アクセスポイント１１１は、各センサ１１から計測パケットを含む無線信号を受信すると、受信した無線信号に含まれる計測パケットを取得し、取得した計測パケットをたとえば有線通信により内部ネットワーク１０経由で蓄積装置１７１へ送信する。
【００４３】
作業者２である作業者２Ａ，２Ｂは、設備３を用いて作業対象物１８に対して溶接作業を行う。たとえば、作業者２による溶接作業が完了した作業対象物１８が、設備３の使用により得られる成果物である。
【００４４】
設備３は、分電盤１２から動力線１４を介して受ける電力を用いて、作業者２によって保持されたトーチ１７へ出力線１５を介して電流を出力する。作業者２は、トーチ１７および作業対象物１８間において発生するアーク放電により溶接作業を行う。当該電流は、作業対象物１８およびアース線１６を通って設備３へ戻る。
【００４５】
なお、センサ１１は、動力線１４に設けられる構成に限らず、出力線１５に設けられる構成であってもよい。また、センサ１１は、動力線１４における第１端側に設けられる構成に限らず、当該動力線１４におけるいずれの位置に設けられてもよい。また、動力線１４における３つの導線のうちの１つにセンサ１１が設けられる構成に限らず、３つの導線、または３つの導線のうちの２つにセンサ１１が設けられてもよい。
【００４６】
図２および図３は、本発明の第１の実施の形態に係る管理システムにおける蓄積装置に蓄積されるセンサデータの一例を示す図である。図２には、センサ１１Ａの識別情報すなわちセンサＩＤ、センサ１１Ａによる計測結果すなわち電流値、および対応の計測時刻を時系列順に含むセンサデータＳＤＡが示される。図３には、センサ１１Ｂの識別情報すなわちセンサＩＤ、センサ１１Ｂによる計測結果すなわち電流値、および対応の計測時刻を時系列順に含むセンサデータＳＤＢが示される。
【００４７】
図２および図３を参照して、蓄積装置１７１は、センサ１１ごとにセンサデータを保持する。この例では、蓄積装置１７１は、センサ１１Ａ，１１Ｂにそれぞれ対応するセンサデータＳＤＡ，ＳＤＢを保持する。
【００４８】
蓄積装置１７１には、センサ１１による計測結果が蓄積される。より詳細には、蓄積装置１７１は、センサ１１からアクセスポイント１１１および内部ネットワーク１０経由で計測パケットを受信すると、受信した計測パケットからセンサＩＤおよび計測結果を取得するとともに、計測パケットを受信したタイミングを計測時刻として取得する。
【００４９】
蓄積装置１７１は、たとえば、センサＩＤがＩＤＡである場合、センサＩＤ、計測時刻および計測結果すなわち電流値をセンサデータＳＤＡに追加する。一方、蓄積装置１７１は、たとえば、センサＩＤがＩＤＢである場合、センサＩＤ、計測時刻および計測結果をセンサデータＳＤＢに追加する。
【００５０】
図４および図５は、本発明の第１の実施の形態に係る管理システムにおける端末装置が保持する帳票データの一例を示す図である。
【００５１】
図４および図５を参照して、端末装置１５１は、たとえば、記憶部を有し、設備３ごとに帳票データを記憶部に保持する。この例では、端末装置１５１は、設備３Ａ，３Ｂにそれぞれ対応する帳票データＦＡ１，ＦＢ１を保持する。
【００５２】
帳票データは、設備３の複数の使用期間、および各使用期間に対応する管理項目の内容を含む。
【００５３】
図４に示す帳票データＦＡ１は、たとえば、設備３Ａの使用期間を示す作業日時、および当該使用期間において設備３Ａで作業を行った作業者名を含む。図５に示す帳票データＦＢ１は、たとえば、設備３Ｂの使用期間を示す作業日時、および当該使用期間において設備３Ｂで作業を行った作業者名を含む。
【００５４】
帳票データは、たとえば、表計算ソフトのデータファイル、ＣＳＶ（Ｃｏｍｍａ−Ｓｅｐａｒａｔｅｄ  Ｖａｌｕｅｓ）形式のテキストファイル、およびデータベース等である。
【００５５】
作業者２は、たとえば、設備３を用いた作業が終了すると、当該設備３に対応する帳票データに作業日時および自己の名前を端末装置１５１に対して入力する操作を行う。
【００５６】
具体的には、作業者２Ａは、たとえば、２０１６年２月３日の１０時１０分から１１時２０分まで設備３Ａを用いた作業が終了すると、使用期間および対応の管理項目の内容として、それぞれ作業日時である「２０１６／２／３  １０：１０〜１１：２０」および作業者名である「Ｘ」を帳票データＦＡ１に書き込む操作を端末装置１５１に対して行う。
【００５７】
なお、作業日時は、分単位に限定されるものではなく、秒単位、時間単位、日単位、週単位および月単位等であってもよい。
【００５８】
端末装置１５１は、作業者２Ａによる操作を受けて、当該操作の内容を帳票データＦＡ１に書き込む処理を行う。
【００５９】
作業者２Ａ，２Ｂは、設備３を用いた作業が終了するごとに上記操作を行う。このようにして、帳票データＦＡ１，ＦＢ１は、更新される。
【００６０】
また、端末装置１５１は、センサＩＤと帳票データとの対応関係を示す対応情報を保持する。この例では、対応情報は、センサＩＤであるＩＤＡと帳票データＦＡ１との対応、およびセンサＩＤであるＩＤＢと帳票データＦＢ１との対応を示す。
【００６１】
具体的には、対応情報は、帳票データのファイル名に対応のセンサＩＤが含まれる態様であってもよいし、帳票データのファイルに対応のセンサＩＤが書き込まれる態様であってもよいし、上記対応関係が書き込まれたファイルであってもよい。
【００６２】
図６は、本発明の第１の実施の形態に係る管理装置の構成を示す図である。
【００６３】
図６を参照して、管理装置１０１は、通信部（第１の取得部および第２の取得部）３１と、データ処理部３３と、表示制御部３４とを備える。
【００６４】
通信部３１は、内部ネットワーク１０経由で蓄積装置１７１および端末装置１５１と情報の送受信を行う。
【００６５】
通信部３１は、設備３についての計測を行うセンサ１１による計測結果、および当該計測結果に対応する時刻を取得する。
【００６６】
より詳細には、通信部３１は、たとえば、当該計測結果、当該計測結果に対応する時刻、および当該計測結果に対応するセンサ１１の識別情報を取得する。
【００６７】
具体的には、データ処理部３３は、所定条件Ｃ１を満たすと、たとえば管理者により登録されているＩＤＡ，ＩＤＢを含むセンサデータ要求を、通信部３１経由で蓄積装置１７１へ送信する。ここで、所定条件Ｃ１は、所定周期の取得タイミングが到来した場合等である。
【００６８】
蓄積装置１７１は、管理装置１０１からセンサデータ要求を受信すると、受信したセンサデータ要求に従って、センサデータ要求に含まれるＩＤＡ，ＩＤＢを確認し、ＩＤＡ，ＩＤＢにそれぞれ対応するセンサデータＳＤＡ，ＳＤＢを管理装置１０１へ送信する。
【００６９】
通信部３１は、蓄積装置１７１からセンサデータＳＤＡ，ＳＤＢを受信すると、受信したセンサデータＳＤＡ，ＳＤＢをデータ処理部３３へ出力する。
【００７０】
また、通信部３１は、設備３の複数の使用期間、および各使用期間に対応する管理項目の内容を端末装置１５１から取得する。通信部３１は、たとえば、当該使用期間に対応するセンサ１１の識別情報を端末装置１５１からさらに取得する。
【００７１】
具体的には、データ処理部３３は、通信部３１からセンサデータＳＤＡ，ＳＤＢを受けたことに応答して、対応情報を要求するための対応情報要求を通信部３１経由で端末装置１５１へ送信する。
【００７２】
端末装置１５１は、管理装置１０１から対応情報要求を受信すると、受信した対応情報要求に従って、対応情報を端末装置１５１へ送信する。
【００７３】
通信部３１は、端末装置１５１から対応情報を受信すると、受信した対応情報をデータ処理部３３へ出力する。
【００７４】
データ処理部３３は、通信部３１から対応情報を受けると、受けた対応情報からＩＤＡ，ＩＤＢにそれぞれ対応する帳票データが帳票データＦＡ１，ＦＢ１であることを認識し、帳票データＦＡ１，ＦＢ１を要求するための帳票データ要求Ｒ１を通信部３１経由で端末装置１５１へ送信する。
【００７５】
端末装置１５１は、管理装置１０１から帳票データ要求Ｒ１を受信すると、受信した帳票データ要求Ｒ１に従って、帳票データＦＡ１，ＦＢ１を端末装置１５１へ送信する。
【００７６】
通信部３１は、端末装置１５１から帳票データＦＡ１，ＦＢ１を受信すると、受信した帳票データＦＡ１，ＦＢ１をデータ処理部３３へ出力する。
【００７７】
図７および図８は、本発明の第１の実施の形態に係る管理装置が作成する集計表の一例を示す図である。
【００７８】
図７および図８を参照して、データ処理部３３は、センサ１１による計測結果、および当該計測結果に対応する時刻、ならびに管理項目の内容および対応の使用期間に基づいて、計測結果に基づく計測情報を管理項目の内容ごとにまとめる処理を行う。
【００７９】
詳細には、データ処理部３３は、たとえば、センサ１１による計測結果、当該計測結果に対応する時刻、および当該計測結果に対応するセンサＩＤ、ならびに管理項目の内容、当該内容に対応する使用期間、および当該使用期間に対応するセンサＩＤに基づいて、上記計測情報を管理項目の内容ごとかつ日ごとに集計する、言い換えると分類する。
【００８０】
具体的には、データ処理部３３は、センサデータＳＤＡ，ＳＤＢ、対応情報および帳票データＦＡ１，ＦＢ１に基づいて、実作業時間を作業者名ごとかつ日ごとに集計する。
【００８１】
より詳細には、データ処理部３３は、帳票データＦＡ１，ＦＢ１に基づいて、作業者ごとに、作業日時をセンサＩＤに対応付けながら集計する。
【００８２】
具体的には、データ処理部３３は、作業者名Ｘを有する作業者２Ａについては、作業日時である「２０１６／２／３  １０：１０〜１１：２０」にＩＤＡを対応付け、かつ、作業日時である「２０１６／２／４  １５：１０〜１７：００」にＩＤＢを対応付ける（図４および図５参照）。データ処理部３３は、作業者名Ｙを有する作業者２Ｂについても、作業者２Ａと同様の処理を行う。
【００８３】
データ処理部３３は、センサデータＳＤＡ，ＳＤＢに基づいて、作業者２Ａの実作業時間を集計する。
【００８４】
具体的には、データ処理部３３は、ＩＤＡに対応するセンサデータＳＤＡ（図２参照）の電流値であって、「２０１６／２／３  １０：１０〜１１：２０」等の対応の作業日時に含まれる計測時刻の電流値に基づいて実作業時間を算出する。
【００８５】
より詳細には、データ処理部３３は、各計測時刻の電流値に対してゼロ次補間および線形補間等の補間処理を行うことにより、上記作業日時における電流の時間変化を近似的に示す電流波形を生成する。そして、データ処理部３３は、生成した電流波形において、所定のしきい値Ｔｈ１を超えた時間を積算することにより実作業時間を算出する。
【００８６】
同様に、データ処理部３３は、ＩＤＢに対応するセンサデータＳＤＢ（図３参照）の電流値であって、「２０１６／２／４  １５：１０〜１７：００」等の対応の作業日時に含まれる計測時刻の電流値に基づいて実作業時間を算出する。
【００８７】
データ処理部３３は、たとえば、算出した各実作業時間を日ごとに集計し、図７に示すまとめ表ＳｕｍＡ１に書き込む。データ処理部３３は、作業者２Ｂについても、作業者２Ａと同様の処理を行い、日ごとの実作業時間の集計結果を、図８に示すまとめ表ＳｕｍＢ１に書き込む。
【００８８】
データ処理部３３は、まとめ表ＳｕｍＡ１，ＳｕｍＢ１の内容を表示制御部３４へ通知する。
【００８９】
表示制御部３４は、たとえば、データ処理部３３による処理の結果を表示する制御を行う。より詳細には、表示制御部３４は、データ処理部３３から受ける通知の内容を表示装置１６１に表示する制御を行う。
【００９０】
なお、データ処理部３３は、作業者名ごとに、実作業時間を日ごとに集計する構成であるとしたが、これに限定するものではなく、実作業時間を時間ごと、週ごと、月ごとまたは年ごとに集計する構成であってもよい。
【００９１】
また、データ処理部３３は、実作業時間を集計する構成であるとしたが、これに限定するものではなく、溶接作業を行っていない非作業時間を集計する構成であってもよい。
【００９２】
たとえば、作業者名ごとの非作業時間と計画値とを比較することにより、作業の進捗状況の把握、および計画の妥当性の評価を行うことができる。
【００９３】
（変形例その１）
図９および図１０は、本発明の第１の実施の形態に係る管理システムにおける端末装置が保持する帳票データの一例を示す図である。
【００９４】
図９および図１０を参照して、この例では、端末装置１５１は、設備３Ａ，３Ｂにそれぞれ対応する帳票データＦＡ２，ＦＢ２を保持する。
【００９５】
管理項目の種類は、たとえば複数種類設定可能である。具体的には、図９に示す帳票データＦＡ２は、たとえば、設備３Ａの使用期間を示す作業日時、当該使用期間における作業の案件名、および当該使用期間において設備３Ａを用いた溶接の成果である溶接長を含む。図１０に示す帳票データＦＢ２は、たとえば、設備３Ｂの使用期間を示す作業日時、当該使用期間における作業の案件名、および当該使用期間において設備３Ｂを用いた溶接の成果である溶接長を含む。
【００９６】
作業者２は、たとえば、設備３を用いた作業が終了すると、当該設備３に対応する帳票データに作業日時、案件名および溶接長を端末装置１５１に対して入力する操作を行う。
【００９７】
端末装置１５１は、作業者２による操作を受けて、当該操作の内容を帳票データに書き込む処理を行う。
【００９８】
再び図６を参照して、データ処理部３３は、所定条件Ｃ１を満たすと、センサデータ要求を通信部３１経由で蓄積装置１７１へ送信し、センサデータ要求の応答として、センサデータＳＤＡ，ＳＤＢを通信部３１経由で蓄積装置１７１から受信する。
【００９９】
データ処理部３３は、センサデータＳＤＡ，ＳＤＢを受信したことに応答して、対応情報要求を通信部３１経由で端末装置１５１へ送信し、対応情報要求の応答として、対応情報を通信部３１経由で端末装置１５１から受信する。
【０１００】
データ処理部３３は、対応情報を受信すると、受信した対応情報からＩＤＡ，ＩＤＢにそれぞれ対応する帳票データが帳票データＦＡ２，ＦＢ２であることを認識し、帳票データＦＡ２，ＦＢ２を要求するための帳票データ要求Ｒ２を通信部３１経由で端末装置１５１へ送信する。
【０１０１】
データ処理部３３は、帳票データ要求Ｒ２の応答として、帳票データＦＡ２，ＦＢ２を通信部３１経由で端末装置１５１から受信する。
【０１０２】
図１１は、本発明の第１の実施の形態に係る管理装置が作成する集計表の一例を示す図である。
【０１０３】
図１１を参照して、データ処理部３３は、センサデータＳＤＡ，ＳＤＢ、対応情報および帳票データＦＡ２，ＦＢ２に基づいて、溶接長および実作業時間を案件名ごとかつ日ごとに集計する。
【０１０４】
より詳細には、データ処理部３３は、帳票データＦＡ２，ＦＢ２に基づいて、案件名ごとに、作業日時および溶接長をセンサＩＤに対応付けながら集計する。
【０１０５】
具体的には、データ処理部３３は、案件名ＭＡについては、作業日時である「２０１６／２／３  １０：１０〜１５：１０」および溶接長である「５ｍ」にＩＤＡを対応付け、かつ、作業時間である「２０１６／２／４  ０８：００〜１１：４０」および溶接長である「４ｍ」にＩＤＢを対応付ける（図９および図１０参照）。データ処理部３３は、案件名ＭＢについても、案件名ＭＡと同様の処理を行う。
【０１０６】
データ処理部３３は、センサデータＳＤＡ，ＳＤＢに基づいて、案件名ＭＡの実作業時間を集計する。
【０１０７】
具体的には、データ処理部３３は、ＩＤＡに対応するセンサデータＳＤＡ（図２参照）の電流値であって、「２０１６／２／３  １０：１０〜１５：１０」等の対応の作業日時に含まれる計測時刻の電流値に基づいて、しきい値Ｔｈ１を超える電流が流れた時間を実作業時間として積算する。
【０１０８】
同様に、データ処理部３３は、ＩＤＢに対応するセンサデータＳＤＢ（図３参照）の電流値であって、「２０１６／２／４  ０８：００〜１１：４０」等の対応の作業日時に含まれる計測時間の電流値に基づいて、しきい値Ｔｈ１を超える電流が流れた時間を実作業時間として積算する。
【０１０９】
データ処理部３３は、たとえば、積算した各実作業時間を日ごとに集計する。また、データ処理部３３は、たとえば、帳票データＦＡ２，ＦＢ２に基づいて、案件名ＭＡの溶接長を日ごとに集計する。
【０１１０】
データ処理部３３は、各集計結果に基づいて、溶接長および実作業時間を日ごとに算出し、算出結果を、図１１に示すまとめ表ＳｕｍＡ２に書き込む。
【０１１１】
データ処理部３３は、案件名ＭＢについても、案件名ＭＡと同様の処理を行い、溶接長および実作業時間の日ごとの算出結果を、図示しないまとめ表ＳｕｍＢ２に書き込む。
【０１１２】
データ処理部３３は、まとめ表ＳｕｍＡ２，ＳｕｍＢ２の内容を表示制御部３４へ通知する。
【０１１３】
なお、データ処理部３３は、センサデータＳＤＡ，ＳＤＢ、対応情報および帳票データＦＡ２，ＦＢ２に基づいて、「溶接長／実作業時間」を案件名ごとに集計する構成であるとしたが、これに限定するものではない。データ処理部３３は、溶接機械の種類、横向きおよび縦向き等の作業姿勢、作業者名、作業を請け負っている会社名、ならびに工事の発注元の会社名のうちの少なくともいずれか１つを管理項目として用いて、管理項目ごとに「溶接長／実作業時間」を集計する構成であってもよい。
【０１１４】
たとえば、溶接機械の種類ごとに「溶接長／実作業時間」を集計する場合、設備３ごとの能率を把握することができる。
【０１１５】
また、作業姿勢ごとに「溶接長／実作業時間」を集計する場合、溶接姿勢に応じて溶接の難度が異なることを考慮した上で、作業姿勢に基づいて、「溶接長／実作業時間」の妥当性を評価することができる。
【０１１６】
また、作業者名ごとに「溶接長／実作業時間」を集計する場合、作業者の作業能率を評価することができる。
【０１１７】
また、作業を請け負っている会社名ごとに「溶接長／実作業時間」を集計する場合、請負先の会社の作業能力を把握することができる。
【０１１８】
また、工事の発注元の会社名ごとに「溶接長／実作業時間」を集計する場合、発注会社ごとの溶接作業の難度を把握することができる。
【０１１９】
（変形例その２）
図１２は、本発明の第１の実施の形態に係る管理システムにおける端末装置が保持する帳票データの一例を示す図である。
【０１２０】
図１２を参照して、この例では、端末装置１５１は、図９および図１０にそれぞれ示す帳票データＦＡ２およびＦＢ２、ならびに帳票データＦ３を保持する。
【０１２１】
帳票データＦ３は、たとえば、日ごとの天気を含む。なお、帳票データＦ３は、午前の天気および午後の天気を含んでもよいし、時間ごとの天気を含んでもよい。
【０１２２】
作業者２または管理者は、日ごとの天気を端末装置１５１に対して入力する操作を行う。
【０１２３】
端末装置１５１は、作業者２または管理者による操作を受けて、当該操作の内容を帳票データＦ３に書き込む処理を行う。
【０１２４】
再び図６を参照して、データ処理部３３は、所定条件Ｃ２を満たすと、帳票データＦ３を要求するための帳票データ要求Ｒ３を通信部３１経由で端末装置１５１へ送信する。ここで、所定条件Ｃ２は、案件のプロジェクトの終了時および月末等である。
【０１２５】
データ処理部３３は、帳票データ要求Ｒ３の応答として、帳票データＦ３を通信部３１経由で端末装置１５１から受信する。
【０１２６】
図１３は、本発明の第１の実施の形態に係る管理装置が作成する集計表の一例を示す図である。
【０１２７】
図１３を参照して、データ処理部３３は、たとえば、計測情報を管理項目の内容ごとかつ他の情報ごとにまとめる処理を行う。
【０１２８】
具体的には、データ処理部３３は、たとえば、図１１に示すまとめ表ＳｕｍＡ２、および帳票データＦ３に基づいて、溶接長および実作業時間を案件名ごとかつ天気ごとにまとめる処理を行う。
【０１２９】
より詳細には、データ処理部３３は、案件名ＭＡについて、溶接長および実作業時間と天気との対応関係を日ごとに取得し、取得結果を集計することにより、天気ごとの溶接長および実作業時間を、図１３に示すまとめ表ＳｕｍＡ３に書き込む。
【０１３０】
データ処理部３３は、案件名ＭＢについても案件名ＭＡと同様の処理を行い、天気ごとの溶接長および実作業時間を、図示しないまとめ表ＳｕｍＢ３に書き込む。
【０１３１】
データ処理部３３は、まとめ表ＳｕｍＡ３，ＳｕｍＢ３の内容を表示制御部３４へ通知する。
【０１３２】
たとえば、屋外において溶接作業を行う状況では、天気の様子を見ながら作業計画を立案するので、天気ごとの「溶接長／実作業時間」に基づいて、適切な作業計画を立てることができる。
【０１３３】
［動作］
管理システム３０１における各装置は、コンピュータを備え、当該コンピュータにおけるＣＰＵ等の演算処理部は、以下のシーケンス図またはフローチャートの各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１３４】
図１４は、本発明の第１の実施の形態に係る管理装置が計測情報を管理項目の内容ごとにまとめる処理を行う際の動作手順を定めたフローチャートである。
【０１３５】
図１４を参照して、管理装置１０１は、所定条件Ｃ１が満たされるまで待機し（ステップＳ１０２でＮＯ）、所定条件Ｃ１が満たされると（ステップＳ１０２でＹＥＳ）、センサデータ要求を蓄積装置１７１へ送信し、センサデータ要求の応答として、センサデータＳＤＡ，ＳＤＢを蓄積装置１７１から受信する（ステップＳ１０４）。
【０１３６】
次に、管理装置１０１は、対応情報要求を端末装置１５１へ送信し、対応情報要求の応答として、対応情報を端末装置１５１から受信する（ステップＳ１０６）。
【０１３７】
次に、管理装置１０１は、対応情報に基づいて、ＩＤＡ，ＩＤＢにそれぞれ対応する帳票データが帳票データＦＡ１，ＦＢ１であることを認識する。そして、管理装置１０１は、帳票データ要求Ｒ１を端末装置１５１へ送信し、帳票データ要求Ｒ１の応答として、帳票データＦＡ１，ＦＢ１を端末装置１５１から受信する（ステップＳ１０８）。
【０１３８】
次に、管理装置１０１は、センサデータＳＤＡ，ＳＤＢ、対応情報、および帳票データＦＡ１，ＦＢ１に基づいて、実作業時間を作業者名ごとに集計し、集計結果をまとめ表ＳｕｍＡ１，ＳｕｍＢ１に書き込む（ステップＳ１１０）。
【０１３９】
次に、管理装置１０１は、まとめ表ＳｕｍＡ１，ＳｕｍＢ１の内容を表示装置１６１に表示する制御を行う（ステップＳ１１２）。
【０１４０】
次に、管理装置１０１は、所定条件Ｃ１が満たされるまで待機する（ステップＳ１０２でＮＯ）。
【０１４１】
なお、上記ステップＳ１０４，Ｓ１０６の順番は、上記に限らず、順番を入れ替えてもよい。
【０１４２】
また、本発明の第１の実施の形態に係る管理システムは、複数の設備３および複数のセンサ１１を備える構成であるとしたが、これに限定するものではない。管理システム３０１は、１つの設備３および１つのセンサ１１を備える構成であってもよい。この構成では、管理装置１０１は、センサ１１の計測結果に対応するセンサＩＤ、および設備３の使用期間に対応するセンサＩＤを取得することなく、センサ１１の計測結果に基づく計測情報を管理項目の内容ごとにまとめることが可能である。
【０１４３】
また、本発明の第１の実施の形態に係る管理装置では、通信部３１は、センサ１１による計測結果に対応する計測時刻として、計測パケットを受信した時刻を用いる構成であるとしたが、これに限定するものではない。管理システム３０１では、センサ１１が、計測を行った計測時刻を計測パケットに含めて管理装置１０１へ送信し、管理装置１０１における通信部３１が、受信したパケットに含まれる計測時刻を用いる構成であってもよい。
【０１４４】
また、本発明の第１の実施の形態に係る管理システムでは、記憶部が端末装置１５１に設けられる構成であるとしたが、これに限定するものではない。管理システム３０１では、記憶部は、蓄積装置１７１に設けられてもよいし、管理装置１０１に設けられてもよい。また、記憶部は、ＵＳＢメモリ等の持ち運び可能な記憶装置であってもよい。
【０１４５】
また、本発明の第１の実施の形態に係る管理装置では、データ処理部３３は、センサデータＳＤＡ，ＳＤＢ、対応情報および帳票データＦＡ１，ＦＢ１に基づいて、実作業時間を作業者名ごとかつ日ごとにまとめる構成であるとしたが、これに限定するものではない。データ処理部３３は、上記各情報に基づいて、実作業時間を作業者名ごとにまとめる構成であってもよい。
【０１４６】
また、本発明の第１の実施の形態に係る管理装置では、データ処理部３３は、センサデータＳＤＡ，ＳＤＢ、対応情報および帳票データＦＡ２，ＦＢ２に基づいて、溶接長および実作業時間を１つの管理項目の内容ごとすなわち案件名ごとにまとめる構成であるとしたが、これに限定するものではない。データ処理部３３は、溶接長および実作業時間を複数の管理項目の内容ごとにまとめる構成であってもよい。具体的には、データ処理部３３は、上記各情報および帳票データＦＡ１，ＦＢ１に基づいて、溶接長および実作業時間を作業者名ごとかつ案件名ごとにまとめる構成であってもよい。
【０１４７】
また、本発明の第１の実施の形態に係る管理装置では、データ処理部３３は、天気ごとかつ案件名ごとに溶接長および実作業時間をまとめる構成であるとしたが、これに限定するものではない。データ処理部３３は、天気ごとかつ案件名ごとに実作業時間をまとめる構成であってもよい。
【０１４８】
ところで、特許文献１に記載の溶接システム等を用いて、設備に設けられた記録装置によって生産データを収集し、収集した生産データに基づいて、作業者の仕事量および生産コスト等を算出するシステムが検討されている。
【０１４９】
しかしながら、設備を扱う作業者が入れ替わったり、設備の生産内容が切替わったりする状況では、生産データから作業者別の仕事量、および生産内容別の生産コストを算出することは困難である。
【０１５０】
これに対して、本発明の実施の形態に係る管理装置では、通信部３１は、設備３についての計測を行うセンサ１１による計測結果、および計測結果に対応する時刻を取得するとともに、設備３の複数の使用期間、および各使用期間に対応する管理項目の内容を記憶部から取得する。そして、データ処理部３３は、通信部３１によって取得された計測結果および対応の時刻、ならびに管理項目の内容および対応の使用期間に基づいて、計測結果に基づく計測情報を管理項目の内容ごとにまとめる処理を行う。
【０１５１】
このような構成により、たとえば、管理項目の内容として作業者２または生産内容を用いることで、設備３を扱う作業者２が入れ替わったり、設備３の生産内容が切替わったりしても、計測結果に基づく作業時間を作業者２ごとまたは生産内容ごとにまとめることができる。これにより、たとえば、作業者２別の仕事量、および生産内容別の生産コストを簡易に算出することができる。したがって、簡易な処理で設備を管理することができる。
【０１５２】
また、本発明の実施の形態に係る管理装置では、通信部３１は、計測結果に対応するセンサ１１の識別情報をさらに取得するとともに、使用期間に対応するセンサ１１の識別情報を記憶部からさらに取得する。そして、データ処理部３３は、通信部３１によって取得された各識別情報にさらに基づいて、計測情報を管理項目の内容ごとにまとめる処理を行う。
【０１５３】
このような構成により、たとえば、作業者２が複数の設備３において作業を行ったり、複数の設備３を用いて作業対象物１８を生産したりする場合においても、上記各識別情報を用いて、計測結果および対応の時刻と管理項目の内容および対応の使用期間とを対応付けることができるので、たとえば、作業者２別の仕事量、および生産内容別の生産コストを正しく算出することができる。
【０１５４】
また、本発明の実施の形態に係る管理装置では、管理項目の種類は、複数種類設定可能である。
【０１５５】
このような構成により、複数種類の管理項目の内容を関連づけてまとめることができるので、設備３をきめ細かく管理することができる。
【０１５６】
また、本発明の実施の形態に係る管理装置では、データ処理部３３は、計測情報を管理項目の内容ごとかつ他の情報ごとにまとめる処理を行う。
【０１５７】
このように、計測情報を管理項目の内容ごとにまとめた処理結果を、他の情報ごとにさらにまとめる構成により、たとえば計測結果と天気とが相関する場合、他の情報として天気を用いることで、設備３をきめ細かく管理することができる。
【０１５８】
また、本発明の実施の形態に係る管理装置では、表示制御部３４は、データ処理部３３による上記処理の結果を表示する制御を行う。
【０１５９】
このような構成により、管理装置１０１のユーザは、表示内容から処理結果を認識することができるので、より容易に設備３を管理することができる。
【０１６０】
次に、本発明の他の実施の形態について図面を用いて説明する。なお、図中同一または相当部分には同一符号を付してその説明は繰り返さない。
【０１６１】
＜第２の実施の形態＞
本実施の形態は、第１の実施の形態に係る管理装置と比べて管理項目を選択可能な管理装置に関する。以下で説明する内容以外は第１の実施の形態に係る管理装置と同様である。
【０１６２】
図１５は、本発明の第２の実施の形態に係る管理装置の構成を示す図である。
【０１６３】
図１５を参照して、管理装置１０２は、通信部３１（第１の取得部および第２の取得部）と、データ処理部３３と、表示制御部３４と、設定変更部３５とを備える。
【０１６４】
管理装置１０２における通信部３１、データ処理部３３および表示制御部３４の動作は、図６に示す管理装置１０１における通信部３１、データ処理部３３および表示制御部３４とそれぞれ同様である。
【０１６５】
設定変更部３５は、たとえば、管理項目の種類を設定変更可能である。具体的には、設定変更部３５は、たとえば、ユーザの操作に従って、管理項目の内容を作業者名と案件名および溶接長とのいずれか一方に設定する。設定変更部３５は、管理項目の種類の設定内容をデータ処理部３３へ通知する。
【０１６６】
なお、設定変更部３５は、たとえば、ユーザの操作に従って、管理項目を追加することが可能な構成であってもよい。
【０１６７】
データ処理部３３は、設定変更部３５から通知された設定内容に従って、実作業時間を集計する処理を行う。
【０１６８】
具体的には、データ処理部３３は、設定変更部３５から通知された設定内容が作業者名を示す場合、センサデータＳＤＡ，ＳＤＢ（図２，図３参照）、対応情報および帳票データＦＡ１，ＦＢ１（図４，図５参照）に基づいて、実作業時間を作業者名ごとに集計し、集計結果をまとめ表ＳｕｍＡ１，ＳｕｍＢ１（図７，図８参照）に書き込む。
【０１６９】
一方、データ処理部３３は、設定変更部３５から通知された設定内容が案件名および溶接長を示す場合、センサデータＳＤＡ，ＳＤＢ（図２，図３参照）、対応情報および帳票データＦＡ２，ＦＢ２（図９，図１０参照）に基づいて、溶接長／実作業時間を作業者名ごとに集計し、集計結果をまとめ表ＳｕｍＡ２（図１１参照），ＳｕｍＢ２に書き込む。
【０１７０】
たとえば、工場における労務管理者は、作業者の能率を把握するために作業者名ごとの実作業時間を把握したい。一方、コスト等を管理するコスト管理者は、案件ごとの能率を把握するために案件名ごとの溶接長／実作業時間を把握したい。このように、ユーザによって管理対象が異なる。
【０１７１】
そして、管理装置１０２において、管理項目の種類は、設定変更可能である。
【０１７２】
このような構成により、たとえば、複数の管理者が異なる種類の管理項目を管理対象とする場合においても、１つの管理装置において、管理者ごとの要求を満たす処理を行うことができるので、管理装置を効率よく運用することができる。
【０１７３】
その他の構成および動作は第１の実施の形態に係る管理装置と同様であるため、ここでは詳細な説明を繰り返さない。
【０１７４】
なお、本発明の第１の実施の形態および第２の実施の形態に係る各装置の構成要素および動作のうち、一部または全部を適宜組み合わせることも可能である。
【０１７５】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１７６】
以上の説明は、以下に付記する特徴を含む。
【０１７７】
［付記１］
設備についての計測を行うセンサによる計測結果、および前記計測結果に対応する時刻を取得する第１の取得部と、
前記設備の複数の使用期間、および各前記使用期間に対応する管理項目の内容を記憶部から取得する第２の取得部と、
前記第１の取得部によって取得された前記計測結果および対応の前記時刻、ならびに前記第２の取得部によって取得された前記内容および対応の前記使用期間に基づいて、前記計測結果に基づく計測情報を前記内容ごとにまとめる処理を行うデータ処理部とを備え、
前記設備は、電気溶接機であり、
前記時刻は、前記第１の取得部が前記計測結果を取得した時刻、または前記センサが前記設備についての計測を行った時刻であり、
前記使用期間および前記内容は、ユーザにより前記記憶部に保存され、
前記データ処理部は、前記計測結果および対応の前記時刻、ならびに前記内容および対応の前記使用期間に基づいて、前記設備の実使用時間を算出し、算出した前記実使用時間を前記内容ごとにまとめる処理を行う、管理装置。
【符号の説明】
【０１７８】
２  作業者
３  設備
１０  内部ネットワーク
１１  センサ
１２  分電盤
１３Ａ，１３Ｂ  ブレーカ
１４  動力線
１５  出力線
１６  アース線
１７  トーチ
１８  作業対象物
３１  通信部（第１の取得部および第２の取得部）
３３  データ処理部
３４  表示制御部
３５  設定変更部
１０１，１０２  管理装置
１１１  アクセスポイント
１５１  端末装置（記憶部）
１６１  表示装置
１７１  蓄積装置
３０１  管理システム
【図１】
2018025858.tif 000003
【図２】
2018025858.tif 000004
【図３】
2018025858.tif 000005
【図４】
2018025858.tif 000006
【図５】
2018025858.tif 000007
【図６】
2018025858.tif 000008
【図７】
2018025858.tif 000009
【図８】
2018025858.tif 000010
【図９】
2018025858.tif 000011
【図１０】
2018025858.tif 000012
【図１１】
2018025858.tif 000013
【図１２】
2018025858.tif 000014
【図１３】
2018025858.tif 000015
【図１４】
2018025858.tif 000016
【図１５】
2018025858.tif 000017